(57)【要約】【課題】  設置の自由度が高く、しかも配線の見栄えがよい食堂料金精算システムを提供する。【解決手段】  電子財布として機能する非接触ＩＣチップとの間でデータを読み書きするリーダライタ装置１００と、食堂のメニューを選択するメニュー選択装置２００と、メニュー選択装置２００で選択されたメニューについてリーダライタ装置を用いて電子マネーによる精算を行う主制御装置９００とを備えた食堂料金精算システムにおいて、リーダライタ装置１００とメニュー選択装置２００と主制御装置９００とをデイジーチェーン接続した。【選択図】  図１
2006031251.tif 000002
【特許請求の範囲】
【請求項１】
電子財布として機能する非接触ＩＣチップとの間でデータを読み書きするリーダライタ装置と、食堂のメニューを選択するメニュー選択装置と、メニュー選択装置で選択されたメニューについてリーダライタ装置を用いて電子マネーによる精算を行う主制御装置とを備えた食堂料金精算システムにおいて、
リーダライタ装置とメニュー選択装置と主制御装置とをデイジーチェーン接続した
ことを特徴とする食堂料金精算システム。
【請求項２】
さらに厨房用の表示装置をデイジーチェーン接続した
ことを特徴とする請求項１記載の食堂料金精算システム。
【請求項３】
前記各装置間の接続はシリアルバス接続を用いた
ことを特徴とする請求項１又は２何れか１項記載の食堂料金精算システム。
【請求項４】
前記装置間を接続する通信ラインは少なくとも一対の電源ラインと一対のデータラインとを含む
ことを特徴とする請求項３記載の食堂料金精算システム。
【発明の詳細な説明】
【技術分野】
【０００１】
本発明は、食堂の料金決済を電子マネーで行う食堂料金精算システムに関し、特に食堂内に分散配置された各装置の接続構造に関する。
【背景技術】
【０００２】
従来の食堂料金精算システムについて図面を参照して説明する。図４は従来の食堂料金精算システムの構成図である。
【０００３】
このシステムは、図４に示すように、電子財布として機能する非接触ＩＣチップが埋設されたカード等に対してデータの読み取り及び書き込みを行うＩＣカードリーダライタ１０と、利用者がメニューを選択する選択装置２０と、厨房内に設置され利用者が選択したメニューを表示する厨房内表示装置３０と、これら各装置１０〜３０を制御する主装置９０とを備えている。すなわち、ＩＣカードリーダライタ１０・選択装置２０・厨房内表示装置３０は、主装置９０に対する端末制御装置に相当する。
【０００４】
主装置９０は、ＩＣカードリーダライタ１０・選択装置２０・厨房内表示装置３０を制御する主制御部９１と、各装置１０〜３０との接続用のコネクタ９２〜９４をそれぞれ備えている。すなわち、主装置９０は、ＩＣカードリーダライタ１０・選択装置２０・厨房内表示装置３０に対してケーブル９５〜９７によりそれぞれ１対１に個別に接続している。
【０００５】
ＩＣカードリーダライタ１０は、ＩＣカードとの通信用のアンテナや高周波回路等を含むＩＣカードインタフェイス１１と、利用者に対して動作状況等を表示するための表示部１２と、主制御部９１と協動してＩＣカードインタフェイス１１及び表示部１２の動作制御を行う端末制御部１３と、主装置９０との接続用のコネクタ１４とを備えている。
【０００６】
選択装置２０は、利用者がメニューを選択するための入力手段である複数の選択スイッチ２１と、主制御部９１に対して選択スイッチ２１の入力信号を送信する端末制御部２２と、主装置９０との接続用のコネクタ２３とを備えている。
【０００７】
厨房内表示装置３０は、利用者が選択したメニューの名前などの各種情報を厨房内に表示するための表示部３１と、主制御部９１と協動して表示部３１の動作制御を行う端末制御部３２と、主装置９０との接続用のコネクタ３３とを備えている。
【０００８】
このような食堂料金精算システムでは、選択装置２０を用いて利用者にメニューを選択させ、当該メニューについてＩＣカードリーダライタ１０で電子マネーによる決済を行うとともに、選択メニューを厨房内表示装置３０に表示する。
【特許文献１】特開平８−２１２２５５号公報
【発明の開示】
【発明が解決しようとする課題】
【０００９】
しかし、上記システムでは、主装置９０と各端末制御装置１０〜３０がそれぞれ１対１に個別に接続しているため、食堂内での配線が煩雑になる、設置場所が制約される、主装置９０近傍では複数のケーブルが集中するので見栄えが悪いなどの問題があった。また、主装置９０に接続可能な端末制御装置数は、主装置９０のコネクタ数に依存するので、端末制御装置の追加が困難であるという問題もあった。
【００１０】
本発明は、上記事情に鑑みてなされたものであり、その目的とするところは、設置の自由度が高く、しかも配線の見栄えがよい食堂料金精算システムを提供することにある。
【課題を解決するための手段】
【００１１】
上記目的を達成するために、本願では、電子財布として機能する非接触ＩＣチップとの間でデータを読み書きするリーダライタ装置と、食堂のメニューを選択するメニュー選択装置と、メニュー選択装置で選択されたメニューについてリーダライタ装置を用いて電子マネーによる精算を行う主制御装置とを備えた食堂料金精算システムにおいて、リーダライタ装置とメニュー選択装置と主制御装置とをデイジーチェーン接続したことを特徴とするものを提案する。
【００１２】
本発明によれば、各装置間の接続はデイジーチェーン接続となるので、各装置間の配線は１本だけになる。したがって、配線引き回しが容易で且つ見た目にもすっきりしたものとなる。また、端末制御装置を容易に追加できる。
【発明の効果】
【００１３】
以上説明したように本発明によれば、各装置間の接続はデイジーチェーン接続となるので、各装置間の配線は１本だけになる。したがって、配線引き回しが容易で且つ見た目にもすっきりしたものとなる。また、端末制御装置を容易に追加できる。
【発明を実施するための最良の形態】
【００１４】
本発明の一実施の形態に係る食料料金精算システムについて図面を参照して説明する。図１は食料料金精算システムの構成図である。
【００１５】
このシステムは、図１に示すように、電子財布として機能する非接触ＩＣチップが埋設されたカード等に対してデータの読み取り及び書き込みを行うＩＣカードリーダライタ１００と、利用者がメニューを選択する選択装置２００と、厨房内に設置され利用者が選択したメニューを表示する厨房内表示装置３００と、これら各装置１００〜３００を制御する主装置９００とを備えている。すなわち、ＩＣカードリーダライタ１００・選択装置２００・厨房内表示装置３００は、主装置９００に対する端末制御装置に相当する。
【００１６】
主装置９００は、ＩＣカードリーダライタ１００・選択装置２００・厨房内表示装置３００を制御する主制御部９１０と、一対の通信用コネクタ９２０，９３０を備えている。
【００１７】
ＩＣカードリーダライタ１００は、ＩＣカードとの通信用のアンテナや高周波回路等を含むＩＣカードインタフェイス１１０と、利用者に対して動作状況等を表示するための表示部１２０と、主制御部９１０と協動してＩＣカードインタフェイス１１０及び表示部１２０の動作制御を行う端末制御部１３０と、一対の通信用コネクタ１４０，１５０とを備えている。
【００１８】
選択装置２００は、利用者がメニューを選択するための入力手段である複数の選択スイッチ２１０と、主制御部９１０に対して選択スイッチ２１０の入力信号を送信する端末制御部２２０と、一対の通信用コネクタ２３０，２４０を備えている。
【００１９】
厨房内表示装置３００は、利用者が選択したメニューの名前などの各種情報を厨房内に表示するための表示部３１０と、主制御部９１０と協動して表示部３１０の動作制御を行う端末制御部３２０と、一対の通信用コネクタ３３０，３４０を備えている。
【００２０】
主装置９００，ＩＣカードリーダライタ１００，選択装置２００，厨房内表示装置３００は、図１に示すように、デイジーチェーン接続されており、その通信形態はシリアルバス接続となっている。このような通信形態としては、例えばＲＳ−４８５やＲＳ−４２２などの規格を用いることができる。本実施の形態では、ＲＳ−４８５を用いた。
【００２１】
図１の例では、主装置９００の第１のコネクタ９２０とＩＣカードリーダライタ１００の第１のコネクタ１４０がケーブル９９０により接続されている。また、ＩＣカードリーダライタ１００の第２のコネクタ１５０と選択装置２００の第１のコネクタ２３０がケーブル９９１により接続されている。さらに、選択装置２００の第２のコネクタ２４０と厨房内表示装置３００の第１のコネクタ３３０がケーブル９９２により接続されている。なお、図１の例では、主装置９００の第２のコネクタ９３０及び厨房内表示装置３００の第２のコネクタ３４０は開放されているが、通信速度を高速化させる場合など必要に応じて終端装置により終端すると好適である。
【００２２】
次に、各装置の通信インタフェイスの詳細について図２及び図３を参照して説明する。図２は主装置の通信インタフェイスを説明する回路図、図３は端末制御装置の通信インタフェイスを説明する回路図である。なお図３では、端末制御装置としてＩＣカードリーダライタ１００を例示する。他の端末制御装置である選択装置２００及び厨房内表示装置３００についても図３と同様の構成となっている。
【００２３】
図２及び図３に示すように、各装置９００，１００のコネクタ９２０，９３０，１４０，１５０は、電源端子ＰＷＲ、一対の信号端子Ｓ０及びＳ１、グランド端子ＧＮＤという４つの端子を備えている。したがって、各装置を繋ぐケーブル９９０，９９１，９９２としてはケーブル径の小さい４芯のケーブルを用いることができる。なお、ケーブル内の各心線はツイストペアを用いると通信品質の点で好適である。
【００２４】
各装置９００，１００の一対のコネクタ９２０及び９３０並びに１４０及び１５０は、それぞれ短絡されている。主装置９００の電源端子ＰＷＲは、主装置９００の持つ電源回路（図示省略）から電源が供給されている。これにより、ＩＣカードリーダライタ１００は、電源端子ＰＷＲを介して主装置９００から電源が供給される。すなわち、ＩＣカードリーダライタ１００には電源回路は不要である。また、各装置９００，１００のグランド端子ＧＮＤは各装置内で設置されている。各装置９００，１００の信号端子Ｓ０及びＳ１は、それぞれ主制御部９１０内のトランシーバ９１１，端末制御部１３０内のトランシーバ１３１と接続している。このような構成により、各装置９００，１００，２００，３００に対してそれぞれ固有のアドレスを割り当てれば各装置間の通信が可能となる。
【００２５】
以上のように、本実施の形態に係に食堂料金精算システムによれば、主装置９００，ＩＣカードリーダライタ１００，選択装置２００，厨房内表示装置３００をデイジーチェーン接続のシリアルバス通信で互いに通信可能に構成したので、各装置間の配線は１本だけとなる。したがって、配線引き回しが容易で且つ見た目もすっきりしたものとなる。また、例えばキーボード等の他の端末制御装置の追加も極めて容易となる。さらに、従来のシステムとは異なり、端末制御装置間の通信（例えばＩＣカードリードライタ１００と選択装置２００間の通信）を主装置９００を介することなく行える。したがって、主装置９００の負荷を増大させることなく、各端末制御装置が協動した動作を実現できる。
【００２６】
以上、本発明の一実施の形態について詳述したが本発明はこれに限定されるものではない。例えば、上記実施の形態では、図１に示すように、主装置９００，ＩＣカードリーダライタ１００，選択装置２００，厨房内表示装置３００の順に接続しているが、他の接続順であってもよい。換言すれば、本発明では、各装置の接続順序が不問であるので設置自由度が高いという利点がある。
【００２７】
また、上記実施の形態では、通信規格としてＲＳ−４８５を採用したが他の規格を用いてもよい。
【００２８】
なお、本実施の形態では、電子財布として機能する非接触ＩＣチップが埋設されたものの一例としてＩＣカードを例示したが、携帯電話，腕時計，ブレスレット，ＰＤＡなど他の機器に同チップを埋設したものであってもよい。
【００２９】
また、本実施の形態では、端末制御装置の一例として、ＩＣカードリーダライタ１００等について例示したが、端末制御装置として機能するものであれば各装置の機能・構成等はどのようなものであっても本発明を適用できる。
【図面の簡単な説明】
【００３０】
【図１】食堂料金精算システムの構成図
【図２】主装置の通信インタフェイスを説明する回路図
【図３】端末制御装置の通信インタフェイスを説明する回路図
【図４】従来の食堂料金精算システムの構成図
【符号の説明】
【００３１】
１００…ＩＣカードリーダライタ、１１０…ＩＣカードインタフェイス、１２０…表示部、１３０…端末制御部、１４０，１５０…コネクタ、２００…選択装置、２１０…選択スイッチ、２２０…端末制御部、２３０、２４０…コネクタ、３００…厨房内表示装置、３１０…表示部、３２０…端末制御部、３３０，３４０…コネクタ、９００…主装置、９１０…主制御部、９２０，９３０…コネクタ
【図１】
2006031251.tif 000003
【図２】
2006031251.tif 000004
【図３】
2006031251.tif 000005
【図４】
2006031251.tif 000006